(57)【要約】【課題】効率よくＷｅｂサービスを利用してファクシミリ受信画情報をユーザに配布または提供することができる通信装置を提供すること目的とする。【解決手段】ファクシミリ受信機能を備えるとともに、ネットワークを介してＷｅｂサーバとの間でデータのやりとりを行うＷｅｂサービス通信機能を備えた通信装置において、ファクシミリ受信機能で受信した画情報をＷｅｂｌｏｇへ登録するようにしたものである。【選択図】        図１
2006245981.tif 000002
【特許請求の範囲】
【請求項１】
ファクシミリ受信機能を備えるとともに、ネットワークを介してＷｅｂサーバとの間でデータのやりとりを行うＷｅｂサービス通信機能を備えた通信装置において、
ファクシミリ受信機能で受信した画情報をＷｅｂｌｏｇへ登録することを特徴とする通信装置。
【請求項２】
前記ファクシミリ受信機能の受信動作時、個別宛先が指定された場合、それぞれの宛先ユーザにあらかじめに登録されているネットワークアドレスのＷｅｂｌｏｇへ、受信した画情報を登録することを特徴とする請求項１記載の通信装置。
【請求項３】
さらに、通信履歴情報をＷｅｂｌｏｇへ登録することを特徴とする請求項１または請求項２記載の通信装置。
【請求項４】
前記通信履歴情報は、登録されたユーザ毎に管理されるものであることを特徴とする請求項３記載の通信装置。
【請求項５】
さらに、機器の管理情報をＷｅｂｌｏｇへ登録することを特徴とする請求項１または請求項２または請求項３または請求項４記載の通信装置。
【発明の詳細な説明】
【技術分野】
【０００１】
本発明は、ファクシミリ受信機能を備えるとともに、ネットワークを介してＷｅｂサーバとの間でデータのやりとりを行うＷｅｂサービス通信機能を備えた通信装置に関する。
【背景技術】
【０００２】
従来、ネットワークに対応した、コピー、ファクス、プリンター、および複合機などの通信装置は、ネットワーク上のパーソナルコンピュータ装置等から機器の設定をブラウザによって行うためのＷｅｂサーバ機能を持っていたり、受信したファクス画像をＷｅｂサーバーにアップロードしたりする機能を持っているものがある。
【０００３】
例えば、特許文献１や特許文献２に開示されたものでは、受信したファクス画像をWWWサーバーへ蓄積して、ユーザーは受信したファクス画像のＵＲＬが記述された電子メールを受信することにより、画像を自分のパソコンへダウンロードすることができる。画像をWWWサーバーへ登録する機器としては電子黒板も考案されている（特許文献３参照）。
【特許文献１】特開平１０−３０４１２８号公報
【特許文献２】特開平１０−３４１３０４号公報
【特許文献３】特開２００１−２１７９７７号公報
【発明の開示】
【発明が解決しようとする課題】
【０００４】
しかしながら、このような従来装置では、提供する情報をどのように登録するかという方法は、独自方法を採用しており、実装的に困難な場合があった。
【０００５】
本発明は、かかる実情に鑑みてなされたものであり、効率よくＷｅｂサービスを利用してファクシミリ受信画情報をユーザに配布または提供することができる通信装置を提供すること目的とする。
【課題を解決するための手段】
【０００６】
本発明は、ファクシミリ受信機能を備えるとともに、ネットワークを介してＷｅｂサーバとの間でデータのやりとりを行うＷｅｂサービス通信機能を備えた通信装置において、ファクシミリ受信機能で受信した画情報をＷｅｂｌｏｇへ登録するようにしたものである。
【０００７】
また、前記ファクシミリ受信機能の受信動作時、個別宛先が指定された場合、それぞれの宛先ユーザにあらかじめに登録されているネットワークアドレスのＷｅｂｌｏｇへ、受信した画情報を登録するようにしたものである。
【０００８】
また、さらに、通信履歴情報をＷｅｂｌｏｇへ登録するようにしたものである。
【０００９】
また、前記通信履歴情報は、登録されたユーザ毎に管理されるものである。
【００１０】
また、さらに、機器の管理情報をＷｅｂｌｏｇへ登録するようにしたものである。
【発明の効果】
【００１１】
したがって、本発明によれば、既存のＷｅｂｌｏｇの仕組みを利用して受信画情報を登録することができるので、Ｗｅｂサービスを利用して受信画情報を提供あるいは配布する際のアプリケーションの実装が非常に簡単となるという効果を得る。
【発明を実施するための最良の形態】
【００１２】
以下、添付図面を参照しながら、本発明の実施の形態を詳細に説明する。
【００１３】
図１は、本発明の一実施例にかかるネットワークシステムを示している。
【００１４】
同図において、ローカルエリアネットワークＬＡＮには、複数のワークステーション装置ＷＳ１〜ＷＳｎ、ＷＷＷサーバ装置ＳＷ、Ｗｅｂｌｏｇサーバ装置ＳＢ、および、ネットワークファクシミリ装置ＦＸが接続されているとともに、ルータ装置ＲＴを介してインターネットへ接続されている。したがって、ワークステーション装置ＷＳ１〜ＷＳｎ、ＷＷＷサーバ装置ＳＷ、Ｗｅｂｌｏｇサーバ装置ＳＢ、、および、ネットワークファクシミリ装置ＦＸは、インターネットを介し、他の適宜な端末装置との間でデータをやりとりすることができる。
【００１５】
ここで、ＷＷＷサーバ装置ＳＷは、Ｗｅｂサービス通信を提供するものであり、例えば、ネットワークファクシミリ装置ＦＸから画情報を受信して、その画情報をＳＯＡＰ等により他の端末装置へＷｅｂサービス通信を用いて提供する等の機能を実現している。
【００１６】
Ｗｅｂｌｏｇサーバ装置ＳＢは、いわゆるＷｅｂｌｏｇのＷｅｂページを提供するものであり、特定のＡＰＩを用いて、登録するＷｅｂページの情報を受け付けて保存する。また、保存したＷｅｂページは、ＷＷＷサーバ装置ＳＷと同様に、Ｗｅｂサービス通信により他の機器へ提供することができる。
【００１７】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェア（Ｗｅｂサービス通信プログラム；Ｗｅｂブラウザ等）などの種々のプログラムが導入されており、特定のユーザにより使用されるものである。ここで、特定のユーザは、一人または複数人のユーザであってよい。
【００１８】
また、ネットワークファクシミリ装置ＦＸは、画情報や各種レポートなどを電子メールとしてやりとりするための電子メール処理機能、画情報や各種レポートをＷＷＷサーバ装置ＳＷやＷｅｂｌｏｇサーバ装置ＳＢへ登録するＷｅｂサービス通信機能、および、アナログ公衆回線網ＰＳＴＮに接続し、この公衆網を伝送路として用いてグループ３ファクシミリ伝送手順による画情報伝送を行う伝送機能を備えている。特に、Ｗｅｂサービスインターフェイスを提供するために、ＸＭＬデータを解析するＸＭＬパーサー（ＸＭＬ  Ｐａｒｓｅｒ）や、ＳＯＡＰプロトコルを実装している。
【００１９】
図２は、ネットワークファクシミリ装置ＦＸの構成例を示している。
【００２０】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２１】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２２】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２３】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２４】
網制御装置１１は、このネットワークファクシミリ装置ＦＸをアナログ公衆回線網ＰＳＴＮに接続するためのものであり、自動発着信機能を備えている。
【００２５】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２７】
また、網制御装置１１とグループ３ファクシミリモデム１０との間のデータのやりとりは、直接行なわれている。
【００２８】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２９】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３０】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３１】
ここで、Ｗｅｂｌｏｇについて説明する。
【００３２】
Ｗｅｂｌｏｇとは、アメリカを中心に発展してきた技術であり、国内においても大手インターネットプロバイダーがサービス提供を開始するに至り、その普及が爆発的に広まっている。Ｗｅｂｌｏｇは従来のＷｅｂページと比較して、その更新を簡単に行えるほか、他のＷｅｂｌｏｇとの連係機能を備えることにより、インターネット上での新たなコミュニケーションの手段となっている。
【００３３】
Ｗｅｂｌｏｇは、個人の日記として使われることが多いようであるが、その用途は日記に限定されたものではない。例えば、機器が受信したファクス画像をＷｅｂｌｏｇに登録すれば、ある特定の日に受信したファクスを簡単に探すことができて非常に便利である。
【００３４】
また、Ｗｅｂｌｏｇはオープンなシステムであるため、専用のサーバーソフトをインストールするシステムと比較して、一般的なＷｅｂｌｏｇホスティングアプリケーションをインストールするだけで利用できる点で優れている。企業内ですでにＷｅｂｌｏｇを展開している環境においては、特に、機器とＷｅｂシステムを簡単に連携させるという意味において、ネットワークファクシミリ装置ＦＸなどのネットワークファクシミリ装置ＦＸが、Ｗｅｂｌｏｇと連携できることが望ましい。
【００３５】
本実施例では、Ｗｅｂｌｏｇサーバ装置ＳＢにＷｅｂｌｏｇホスティングツールを実装し、このＷｅｂｌｏｇホスティングツールを利用して、ネットワークファクシミリ装置ＦＸから画情報や通信履歴情報やシステム情報等を、記事として追加できるようにしている。このような記事の追加については、Ｗｅｂｌｏｇホスティングツールは、記事を追加するためのインターフェイスとなるＷｅｂページを持っているのが普通である。しかし、ネットワークファクシミリ装置ＦＸから直接Ｗｅｂブラウザを操作して記事を追加することはできないので、Ｗｅｂｌｏｇツールが用意しているＸＭＬ−ＲＰＣ  ＡＰＩ（例えば、http://lowlife.jp/cgi-bin/moin.cgi/XmlRpc等を参照）によって、ＷｅｂｌｏｇのＷｅｂページの追加を行うものとする。
【００３６】
以上の構成で、本実施例では、まず、図３に示すように、ネットワークファクシミリ装置ＦＸがいずれかのファクシミリ装置から発呼されて画情報を受信すると、受信したファクシミリ画情報をＴＩＦＦなどの汎用的な画像フォーマットへ変換し、ＷＷＷサーバ装置ＳＷへその画像ファイルをアップロードする。
【００３７】
次に、ネットワークファクシミリ装置ＦＸは、Ｗｅｂｌｏｇを登録するために、Ｗｅｂｌｏｇサーバ装置ＳＢに対して新規記事の登録を行う。登録は上述のＸＭＬ−ＲＰＣ  ＡＰＩによって行う。ＸＭＬ−ＲＰＣ  ＡＰＩ仕様に従って、ネットワークファクシミリ装置ＦＸからＷｅｂｌｏｇサーバ装置ＳＢのＷｅｂｌｏｇシステムへ送信されるＸＭＬデータの例を図４に示す。
【００３８】
このＸＭＬデータはＨＴＴＰのＧＥＴメソッドによりＷｅｂｌｏｇサーバーへ送信される。
【００３９】
図５は、Ｗｅｂｌｏｇに登録された記事を、例えば、ワークステーション装置ＷＳ１に実装されているＷｅｂブラウザで表示した際の画面の一例を示している。同図のように、ファクスを受信したことを知らせると共に、受信画像がダウンロードできるＵＲＬへのリンク、および画像の総ページ数を表示しても良い。
【００４０】
また、Ｗｅｂｌｏｇホスティングツールによっては、記事をカテゴリーに分けて登録できるものもある。その場合、例えば、「受信ファクス」というカテゴリへ登録するようにしてもよい。
【００４１】
ところで、ネットワークファクシミリ装置ＦＸは、図６（ａ）に示すように、サブアドレスとユーザーコードとＷｅｂｌｏｇアドレスの対応を記憶する。または、同図（ｂ）のように、サブアドレスとユーザー名とパスワードとＷｅｂｌｏｇアドレスの対応を記憶する。
【００４２】
これらの情報は、あらかじめユーザ等により登録されるものであり、例えば、パラメータメモリ３に保存される。
【００４３】
この情報を利用して、ファクスを受信した場合に、サブアドレスが指定されているかによって処理を変えることができる。その動作の一例を図７に示す。
【００４４】
ファクスを受信（処理１０１）したときに、サブアドレスが指定されていた場合は（判断１０２の結果がＹＥＳ）、図６（ａ）または同図（ｂ）のテーブルを検索し、ユーザーに対応するＷｅｂｌｏｇサーバ装置ＳＢに登録する先のアドレスを取得する（処理１０３）。続いて、受信したファクシミリ画情報をユーザーに対応したＷｅｂｌｏｇサーバ装置ＳＢへ登録する動作を行う（処理１０４）。
【００４５】
一方、サブアドレスが指定されていなければ（判断１０２の結果がＮＯになる場合）、上述した実施例と同様に、ネットワークファクシミリ装置ＦＸにあらかじめ設定されている規定のＷｅｂｌｏｇサーバ装置ＳＢの登録アドレスへ受信したファクシミリ画情報を登録する（処理１０５）。
【００４６】
次に、通信管理情報をＷｅｂｌｏｇサーバ装置ＳＢへ登録する場合について説明する。この場合は、例えば、図８、図９および図１０に示すようなＸＭＬ−ＲＰＣリクエストをＷｅｂｌｏｇサーバ装置ＳＢへ送信する。
【００４７】
ネットワークファクシミリ装置ＦＸは、内部に記憶している通信管理情報を、図８，図９および図１０に示すようなＸＭＬ−ＲＰＣリクエストに格納するデータフォーマットに整形し、Ｗｅｂｌｏｇサーバ装置ＳＢに対して、ＨＴＴＰのＧＥＴコマンドを発行する。
【００４８】
この処理は、システムに設定された決まった時間に実行すると良い。例えば、毎日、午後１１時５９分に処理を実行すれば、その日一日の通信管理情報をまとめてＷｅｂｌｏｇに登録することができる。
【００４９】
図１１（ａ）は、このようにしてＷｅｂｌｏｇサーバ装置ＳＢに登録された通信管理情報を、例えば、ワークステーション装置ＷＳ１に実装されたＷｅｂブラウザで表示した場合の表示例を示している。
【００５０】
この場合、例えば、通信管理情報をユーザー毎にフィルタリングすることができる。例えば、図６（ａ），（ｂ）に示したユーザーテーブルを参照し、ネットワークファクシミリ装置ＦＸが記憶している通信管理情報のうち、特定のユーザーに関するレコードは、対応するユーザのＷｅｂｌｏｇに登録することができる。
【００５１】
図１１（ｂ）は、ユーザ「ｕｓｅｒ０２」に関する通信管理情報をＷｅｂｌｏｇサーバ装置ＳＢに登録し、その内容をワークステーション装置ＷＳ１に実装されたＷｅｂブラウザで表示した場合の表示例を示している。
【００５２】
図１２に、機器管理情報をＷｅｂｌｏｇサーバ装置ＳＢへ登録する場合について説明する。この場合は、例えば、図１２に示すようなＸＭＬ−ＲＰＣリクエストをＷｅｂｌｏｇサーバ装置ＳＢへ送信する。
【００５３】
ネットワークファクシミリ装置ＦＸは、内部に記憶している機器管理情報を図１２に示したＸＭＬ−ＲＰＣリクエストに格納するデータフォーマットに整形し、Ｗｅｂｌｏｇサーバ装置ＳＢに対して、ＨＴＴＰのＧＥＴコマンドを発行する。
【００５４】
ここで、機器管理情報とは、プリンター、コピー、ファクスなどで発生したエラーの情報や、機器で発生した紙詰まり、電源断による通信の失敗などの情報を指す。
【００５５】
この処理は、システムに設定された決まった時間に実行すると良い。例えば、午後１１時５９分に処理を実行すれば、その日一日の機器管理情報をまとめてWeblogに登録することができる。
【００５６】
図１３はＷｅｂｌｏｇサーバ装置ＳＢに登録された機器管理情報を、ワークステーション装置ＷＳ１に実装されたＷｅｂブラウザで表示した場合の表示例を示している。
【００５７】
以上のようにして、本実施例では、ネットワークファクシミリ装置ＦＸが受信したファクシミリ画情報を情報をＷｅｂｌｏｇに登録しているので、受信ファクシミリ画情報の管理の際の手間を大幅に簡略化することができる。
【００５８】
また、機器に登録されたユーザーへ配信されるべきファクシミリ画情報を受信したときには、対象となるユーザに割り当てられているＷｅｂｌｏｇへ受信ファクシミリ画情報が登録され、ユーザは常に１つのＷｅｂページを参照すればよいので、ユーザの使い勝手が良好になる。
【００５９】
また、受信画情報以外の通信履歴情報をＷｅｂｌｏｇに登録できるので便利である。例えば、ある一日の通信管理情報をＷｅｂｌｏｇに登録すると、機器の通信管理情報が日記のように参照することができ、管理ユーザにとって非常に便利である。
【００６０】
また、ユーザ毎にＷｅｂｌｏｇページを設け、ユーザ毎に通信履歴を登録するので、おのおののユーザは、自分に関係のある通信履歴のみを参照でき、非常に便利である。
【００６１】
また、機器で発生したエラー情報などをＷｅｂｌｏｇに登録しているので、機器で発生したイベント（故障、エラー等の発生など）を日記のように参照できて便利である。
【００６２】
なお、上述した実施例では、ＷＷＷサーバ装置ＳＷとＷｅｂｌｏｇサーバ装置ＳＢを異なる装置として設けていたが、これらは物理的に一台の装置で実現することもできる。また、ネットワークファクシミリ装置ＦＸにＷＷＷサーバ装置ＳＷとＷｅｂｌｏｇサーバ装置ＳＢの機能を持たせるようにすることもできる。
【００６３】
また、本発明は、上述した実施例のネットワークファクシミリ装置ＦＸ以外の通信装置についても、同様にして適用することができる。
【図面の簡単な説明】
【００６４】
【図１】本発明の一実施例にかかるネットワークシステムを示したブロック図。
【図２】ネットワークファクシミリ装置ＦＸの構成例を示したブロック図。
【図３】ネットワークファクシミリ装置ＦＸがＷＷＷサーバ装置ＳＷとＷｅｂｌｏｇサーバ装置ＳＢに情報を登録する際のシーケンスの一例を示したタイムチャート。
【図４】ＸＭＬ−ＲＰＣ  ＡＰＩ仕様に従って、ネットワークファクシミリ装置ＦＸからＷｅｂｌｏｇサーバ装置ＳＢのＷｅｂｌｏｇシステムへ送信されるＸＭＬデータの例を示した概略図。
【図５】Ｗｅｂｌｏｇに登録された記事を、例えば、ワークステーション装置ＷＳ１に実装されているＷｅｂブラウザで表示した際の画面の一例を示した概略図。
【図６】サブアドレスとユーザーコードとＷｅｂｌｏｇアドレスの対応を記憶したテーブル、および、サブアドレスとユーザー名とパスワードとＷｅｂｌｏｇアドレスの対応を記憶したテーブルの一例を示した概略図。
【図７】ネットワークファクシミリ装置ＦＸのファクシミリ受信時の処理の一例を示したフローチャート。
【図８】通信管理情報をＷｅｂｌｏｇサーバ装置ＳＢへ登録する場合のＸＭＬ−ＲＰＣリクエストの一例を示した概略図（続く）。
【図９】通信管理情報をＷｅｂｌｏｇサーバ装置ＳＢへ登録する場合のＸＭＬ−ＲＰＣリクエストの一例を示した概略図（図８の続き；続く）。
【図１０】通信管理情報をＷｅｂｌｏｇサーバ装置ＳＢへ登録する場合のＸＭＬ−ＲＰＣリクエストの一例を示した概略図（図９の続き）。
【図１１】Ｗｅｂｌｏｇサーバ装置ＳＢに登録された通信管理情報を、例えば、ワークステーション装置ＷＳ１に実装されたＷｅｂブラウザで表示した場合の表示例、および、ユーザ「ｕｓｅｒ０２」に関する通信管理情報をＷｅｂｌｏｇサーバ装置ＳＢに登録し、その内容をワークステーション装置ＷＳ１に実装されたＷｅｂブラウザで表示した場合の表示例を示した概略図。
【図１２】機器管理情報をＷｅｂｌｏｇサーバ装置ＳＢへ登録する場合のＸＭＬ−ＲＰＣリクエストの一例を示した概略図。
【図１３】Ｗｅｂｌｏｇサーバ装置ＳＢに登録された機器管理情報を、ワークステーション装置ＷＳ１に実装されたＷｅｂブラウザで表示した場合の表示例を示した概略図。
【符号の説明】
【００６５】
ＦＸ  ネットワークファクシミリ装置
ＳＢ  Ｗｅｂｌｏｇサーバ装置
ＳＷ  ＷＷＷサーバ装置
【図１】
2006245981.tif 000003
【図２】
2006245981.tif 000004
【図３】
2006245981.tif 000005
【図４】
2006245981.tif 000006
【図５】
2006245981.tif 000007
【図６】
2006245981.tif 000008
【図７】
2006245981.tif 000009
【図８】
2006245981.tif 000010
【図９】
2006245981.tif 000011
【図１０】
2006245981.tif 000012
【図１１】
2006245981.tif 000013
【図１２】
2006245981.tif 000014
【図１３】
2006245981.tif 000015